(57)【要約】      （修正有）【課題】枚葉紙のバリアブル印刷物を検査する方法を提供する。【解決手段】文字と画像を含む入稿データを用いて、検査パターンを有する項目データを含む可変印刷データと、検査パターン列から構成される検査基準データと、検査パターン割付枠を含むバリアブル文書データを作成するデータ作成工程と、前記作成された可変印刷データの検査パターンをバリアブル文書データの検査パターン割付枠に設定してバリアブル印刷物を印刷するバリアブル印刷工程と、バリアブル印刷物の検査パターンを検出した検査パターンの配列が、検査基準データの検査パターン列と一致するか否かを判定する判定工程と、を含んだ手順でなされることを特徴とするバリアブル印刷検査方法である。【選択図】図１
2008173803.tif 000002
【特許請求の範囲】
【請求項１】
バリアブル印刷された枚葉紙のバリアブル印刷検査方法であって、
文字と画像を含む入稿データを用いて、検査パターンを有する項目データを含む可変印刷データを作成する印刷データ作成工程と、
検査パターン列から構成される検査基準データを作成する検査基準作成工程と、
検査パターン割付枠を含むバリアブル文書データを作成するバリアブル文書作成工程と、
前記作成された可変印刷データの検査パターンをバリアブル文書データの検査パターン割付枠に設定してバリアブル印刷物を印刷するバリアブル印刷工程と、
バリアブル印刷物の検査パターンを検出する検査パターン検出工程と、
検出した検査パターンの配列が、検査基準データの検査パターン列と、一致するか不一致であるかを判定する検査パターン配列判定工程と、
判定結果が不一致であれば、バリアブル印刷停止を命令して、バリアブル印刷を中止するバリアブル印刷停止工程と、
を含んだ手順でなされることを特徴とするバリアブル印刷検査方法。
【請求項２】
前記バリアブル印刷工程は、前記作成された可変印刷データの検査パターンに応じて、バリアブル文書データの検査パターン割付枠を選択して、バリアブル印刷物を印刷する、
手順でなされることを特徴とする請求項１に記載のバリアブル印刷検査方法。
【発明の詳細な説明】
【技術分野】
【０００１】
本発明は、バリアブル印刷において、印刷物を検査する方法に関するものである。
【０００２】
バリアブル印刷では、文書ごとに印刷する内容を差替える可変印刷部分と、各文書に共通の固定印刷部分を合成した文書を連続して印刷する。たとえば、ダイレクトメールでは、印刷文書の宛先名を変えた文面をバリアブル印刷する。
バリアブル印刷された文書は、すべて内容が異なるので、各文書が、正しく印刷されたか否かを全文書に対して検査する必要がある。
【背景技術】
【０００３】
たとえば、特許文献１では、印刷に用いる可変部データから生成した基準データと印刷物を撮像して生成した被検査データとを比較してバリアブル印刷物を検査する技術が開示されている。
【特許文献１】特開２００６−１５０７４６号公報（段落００６７−段落００８３、図５〜８）
【発明の開示】
【発明が解決しようとする課題】
【０００４】
ところで、バリアブル印刷された文書は、各文書ごとに内容が異なるので、所定の順番で印刷されていることが大切である。言い換えると、バリアブル印刷においては、所定のページが抜け落ちたり、異なるページと入れ替わったりすると様々な不具合が生じる。
たとえば、表裏印刷において、バリアブル印刷した表ページが印刷された後に抜け落ちたり、入れ替わったりすると、所定の表ページの裏に裏ページをバリアブル印刷することができない。
また、文書の帳合において、バリアブル印刷したページが抜け落ちたり、入れ替わったりすると、所定のバリアブル印刷ページで構成した文書を帳合することができない。
特許文献１の技術では、所定の可変印刷データが印刷されたことを検査して確認するだけなので、印刷された後にページが抜け落ちてもこれを検出することができないという問題点があった。
同様に、印刷されたページの順序が入れ替わってもこれを検出することができないという欠点があった。
【０００５】
本発明はこのような不具合を解決するためになされたものであって、本発明の課題は、枚葉紙のバリアブル印刷物を検査する方法を提供することである。
【課題を解決するための手段】
【０００６】
本発明は、以下のような解決手段により、前記課題を解決する。すなわち、請求項１の発明は、バリアブル印刷された枚葉紙のバリアブル印刷検査方法であって、文字と画像を含む入稿データを用いて、検査パターンを有する項目データを含む可変印刷データ（５９５）を作成する印刷データ作成工程と、検査パターン列から構成される検査基準データ（５９７）を作成する検査基準作成工程と、検査パターン割付枠を含むバリアブル文書データ（５９３）を作成するバリアブル文書作成工程と、前記作成された可変印刷データ（５９５）の検査パターンをバリアブル文書データ（５９３）の検査パターン割付枠に設定してバリアブル印刷物（４００）を印刷するバリアブル印刷工程と、バリアブル印刷物（４００）の検査パターンを検出する検査パターン検出工程と、検出した検査パターンの配列が、検査基準データ（５９７）の検査パターン列と、一致するか不一致であるかを判定する検査パターン配列判定工程と、判定結果が不一致であれば、バリアブル印刷停止を命令して、バリアブル印刷を中止するバリアブル印刷停止工程と、を含んだ手順でなされることを特徴とするバリアブル印刷検査方法である。
【０００７】
このように、バリアブル印刷された検査パターンを検出して、バリアブル印刷物が所定の順番に並んでいることを検査することが可能である。
【０００８】
請求項２の発明は、
前記バリアブル印刷工程は、前記作成された可変印刷データの検査パターンに応じて、バリアブル文書データの検査パターン割付枠を選択して、バリアブル印刷物を印刷する、手順でなされることを特徴とする請求項１に記載のバリアブル印刷検査方法である。
【０００９】
このように、どの検査パターン割付枠が選択されたかを検出して判定することによって、バリアブル印刷物を検査することが可能である。
【発明の効果】
【００１０】
本願発明によれば、バリアブル印刷物が所定の順番に並んでいるか否かを検査することができるので、
（１）バリアブル印刷物の文書ページが抜け落ちた場合にこれを検出することができて、落丁を防止することが可能である。
（２）バリアブル印刷物の文書ページが入れ替わってもこれを検出することができて、製本時の乱丁を防止することが可能である。
（３）表裏印刷されたバリアブル印刷物において、表裏の文書ページに齟齬をきたしているときにこれを発見することができて、矛盾した表裏印刷を発見することが可能である。
【発明を実施するための最良の形態】
【００１１】
以下、図面等を参照しながら、本発明の実施の形態について、更に詳しく説明する。
【００１２】
図１は、本発明によるバリアブル印刷検査システム１の全体構成を説明する図である。バリアブル印刷検査システム１は、バリアブル文書編集装置５００と、バリアブル印刷装置３００と、バリアブル印刷検査装置１００と、がネットワーク９００に接続されて構成される。
【００１３】
バリアブル文書編集装置５００は、バリアブル文書を編集して、可変印刷データと検査基準データを作成する。バリアブル文書編集装置５００は、検査基準データをバリアブル印刷検査装置１００に送信する。バリアブル文書編集装置５００は、バリアブル文書データと可変印刷データをバリアブル印刷装置３００に送信する。
【００１４】
バリアブル印刷装置３００は、受信したバリアブル文書データと可変印刷データを用いて、バリアブル印刷して枚葉紙のバリアブル印刷物４００を製造する。バリアブル印刷装置３００は、印刷停止命令を受け取って、バリアブル印刷を中止する。
【００１５】
バリアブル印刷検査装置１００は、枚葉紙のバリアブル印刷物４００を検査カメラ１０７で撮影して、所定の順番に印刷されているか否かを検査する。なお、表裏印刷された枚葉紙のバリアブル印刷物４００を検査する場合には、表面を撮影する検査カメラ１０７と裏面を撮影する検査カメラ１０７ａを用いてバリアブル印刷物４００の両面を撮影して、検査する。検査結果が不合格であれば、バリアブル印刷装置３００に、印刷停止を命令する。
【００１６】
バリアブル文書編集装置５００は、コンピュータプログラムによって制御されるコンピュータである。バリアブル文書編集装置５００のコンピュータプログラムは、市販の文書編集ソフトウエアを利用することが可能である。バリアブル文書編集装置５００のコンピュータプログラム機能を追加するときには、このコンピュータプログラムが備えるプラグイン機能を用いて、実現することができる。
【００１７】
バリアブル印刷装置３００は、レーザプリンタやインクジェットプリンタのようなデジタル・プリンタである。
【００１８】
バリアブル印刷検査装置１００は、コンピュータプログラムによって制御されるパーソナルコンピュータである。バリアブル印刷検査装置１００のコンピュータプログラムは、Ｃ＋＋プログラムを用いて、実現することができる。
【００１９】
図２は、本発明によるバリアブル文書編集装置５００の詳細な構成図である。バリアブル文書編集装置５００は、中央演算処理部５０４と、入力部５０１と、表示部５０２と、通信部５０３と、記憶部５９０と、専用プログラムを備える。
【００２０】
入力部５０１は、キーボードやマウスである。バリアブル文書編集のためのデータ入力を受け付ける。表示部５０２は、液晶ディスプレーやＣＲＴディスプレーである。バリアブル文書編集を表示する。通信部５０３は、ＬＡＮ基板のようなネットワーク基板である。通信部５０３は、送受信する相手の通信部とネットワーク接続する。記憶部５９０は、半導体メモリや磁気メモリである。記憶部５９０は、入稿データ５９２（詳細は後述する）を記憶する。
【００２１】
専用プログラムは、表示手段５２０と、送信手段５３０と、可変印刷データ作成手段５４０と、検査基準作成手段５５０と、バリアブル文書編集手段５６０と、を有する。
【００２２】
可変印刷データ作成手段５４０は、文字と画像を含む入稿データ５９２を用いて、検査パターンを含む可変印刷データ５９５を作成する。検査基準作成手段５５０は、検査パターン列から構成される検査基準データ５９７を作成する。バリアブル文書編集手段５６０は、検査パターン割付枠を含むバリアブル文書データ５９３を作成する。
【００２３】
表示手段５２０は、バリアブル文書の編集状況を表示する。送信手段５３０は、バリアブル文書データ５９３と可変印刷データをバリアブル印刷装置３００に送信して、検査基準データをバリアブル印刷検査装置１００に送信する。
【００２４】
図３は、入稿データ５９２の例である。図３には、入稿データ５９２が例示されている。入稿データ５９２の項目は、「No.」と、「姓」と、「名」と、「県」と、「市」と、「町」とから構成されている。入稿データ５９２の例として、項目「No.」＝「１」、項目「姓」＝「○山」、項目「名」＝「×男」、「県」＝「青森県」、項目「市」＝「弘前市」、項目「町」＝「××」が示されている。
【００２５】
図４は、割付設計書２９６の説明図である。割付設計書２９６には、固定割付枠２９２と可変割付枠２９１が割り付けられている。
【００２６】
図４には、バリアブル印刷物の割付を指示する割付設計書２９６が例示されている。固定割付枠２９２には、バリアブル印刷する各文書に共通する固定情報２９２ａ「ご案内」と固定情報２９２ｂ「住所」と固定情報２９２ｃ「名前」が設定されている。可変割付枠２９１には、バリアブル印刷する文書ごとに異なる可変印刷データが設定される。可変割付枠２９１は、検査パターンの可変割付枠２９１ｘ／ｙと、県名の可変割付枠２９１ｂと、市名の可変割付枠２９１ｃと、町名の可変割付枠２９１ｄと、姓の可変割付枠２９１ｅと、名の可変割付枠２９１ｆと、から構成されている。
【００２７】
図５は、バリアブル文書データ５９３の形式を説明する図である。バリアブル文書データ５９３は、可変割付枠データ５９１と、固定割付枠データ５９２と、から構成されている。固定割付枠データ５９２は、固定情報５９２ａを有している。可変割付枠データ５９１は、可変割付枠２９１を定義するデータである。固定割付枠データ５９２は、固定割付枠２９２を定義するデータである。
【００２８】
図６は、可変印刷データ５９５の形式と例を説明する図である。可変印刷データ５９５の項目は、第１項目５９５ａ「姓」と、第２項目５９５ｂ「名」と、第３項目５９５ｃ「県」と、第４項目５９５ｄ「市」と、第５項目５９５ｅ「町」と、第６項目５９５ｆ「検査パターン」とから構成されている。
【００２９】
図６には、可変印刷データ５９５が例示されている。可変印刷データ５９５の例として、第１レコードには、第１項目５９５ａ「姓」＝「○山」、第２項目５９５ｂ「名」＝「×男」、第３項目５９５ｃ「県」＝「青森県」、第４項目５９５ｄ「市」＝「弘前市」、第５項目５９５ｅ「町」＝「××」、第６項目５９５ｆ「検査パターン」「■」が示されている。
【００３０】
ここで、「検査パターン」は、異なる形状のパターンが所定の周期で規則的に繰り返す。たとえば、第２レコードの項目「検査パターン」は、「▲」、第３レコードの項目「検査パターン」は、「▽」、第４レコードの項目「検査パターン」は、「◆」であって、第５レコード以降の「検査パターン」は、第１レコードから第４レコードの「検査パターン」と同じパターンを周期的に繰り返す。
【００３１】
図７は、検査基準データ５９７の形式と例を説明する図である。検査基準データ５９７の項目は、検査パターン番号５９７ａと、検査パターン５９７ｂとから構成されている。検査基準データの検査パターン番号５９７ａは、周期的に繰り返す検査パターンの順番を意味している。検査基準データの検査パターン５９７ｂは、可変印刷データの検査パターン５９５ｆと対応付けられている。
【００３２】
図７には、検査基準データ５９７が例示されている。検査基準項目「検査パターン番号」５９７ａ「１」＝検査基準項目「検査パターン５９７ｂ「■」と、検査基準項目「検査パターン番号」５９７ａ「２」＝検査基準項目「検査パターン５９７ｂ「        ▲」と、検査基準項目「検査パターン番号」５９７ａ「３」＝検査基準項目「検査パターン５９７ｂ「▽」と、検査基準項目「検査パターン番号」５９７ａ「４」＝検査基準項目「検査パターン５９７ｂ「◆」と、が示されている。
【００３３】
図８は、バリアブル印刷物４００の例である。バリアブル印刷物４００は、固定文字部４９２と、可変割付された文字部４９１（＝可変割付された検査パターン４９１ｘ／ｙと、可変割付された地名４９１ｂと、可変割付された姓名４９１ｅ）が印刷されている。
【００３４】
図８には、バリアブル印刷物４００が例示されている。バリアブル印刷物の例としては、固定文字部４９２が、「ご案内」と「住所」と「名前」である。可変割付された検査パターン４９１ｘ／ｙが、「■」である。可変割付された地名４９１ｂが、「青森県弘前市××」である。可変割付された姓名４９１ｅが、「○山×男」である。
【００３５】
また、異なるバリアブル印刷物４００の例としては、固定文字部４９２が、前にあげた例と同じ「ご案内」と「住所」と「名前」である。可変割付された検査パターン４９１ｘ／ｙが、「▲」である。可変割付された地名４９１ｂが、「秋田県大館市△△」である。可変割付された姓名４９１ｅが、「○山×男」である。
【００３６】
このように、可変割付された検査パターン４９１ｘ／ｙは、文書ごとに所定の検査パターンがバリアブル印刷される。
【００３７】
図９は、本発明によるバリアブル印刷検査装置１００の詳細な構成図である。バリアブル印刷検査装置１００は、中央演算処理部１０４と、表示部１０２と、通信部１０３と、カメラ部１０７と、記憶部１０９と、専用プログラムを備える。
【００３８】
表示部１０２は、液晶ディスプレーやＣＲＴディスプレーなどである。リアブル印刷検査結果などを表示する。通信部１０３は、ＬＡＮ基板のようなネットワーク基板である。通信部１０３は、送受信する相手の通信部とネットワーク接続する。記憶部１０９は、半導体メモリや磁気メモリである。記憶部１０９は、検査基準データ５９７を記憶する。専用プログラムは、表示手段１２０と、送信手段１３０と、受信手段１３５と、検査パターン配列判定手段１４０と、検査パターン検出手段１７０と、バリアブル印刷停止命令手段１５０と、を有する。
【００３９】
検査パターン検出手段１７０は、バリアブル印刷物４００を撮影して、検査パターンを検出する。検査パターン配列判定手段１４０は、検出した検査パターンの出現順番（＝配列）が、検査基準データ５９７の検査パターンの配列と、一致するか不一致であるかを判定する。バリアブル印刷停止命令手段１５０は、判定結果が不一致であれば、バリアブル印刷停止を命令する。
【００４０】
表示手段１２０は、判定結果を表示する。送信手段１３０は、バリアブル印刷装置３００に判定結果を送信する。受信手段１３５は、バリアブル文書編集装置５００から検査基準データ５９７を受信する。
【００４１】
図１０は、検査パターンをバリアブル印刷する処理手順の説明図である。
可変印刷データ５９５のレコードの第６項目５９５ｆ「検査パターン」は、「■」「▲」「▽」「◆」の繰り返しである。
【００４２】
可変印刷データ５９５の第１レコードを読み出して、第１レコードの第６項目５９５ｆ「検査パターン」のデータ「■」を、を対応する「検査パターンの可変割付枠」可変割付枠２９１ｘ／ｙに割り付ける（図１０（１））。
【００４３】
さらに、第１レコードの第１項目５９５ａ「姓」のデータを、「姓の可変割付枠」２９１ｅに設定して、第１レコードの第２項目５９５ｂ「姓」のデータを、「名の可変割付枠」２９１ｆに設定して、第１レコードの第３項目５９５ｃ「県」を、「県名の可変割付枠」２９１ｂに設定して、第１レコードの第４項目５９５ｄ「市」のデータを、「市名の可変割付枠」２９１ｃに設定して、第１レコードの第４項目５９５ｅ「町」のデータを、「町名の可変割付枠」２９１ｄに設定して、バリアブル印刷して、検査パターン４９１ｘ／ｙ「■」を含むバリアブル印刷物４００ａを作成する（同（２））。
【００４４】
同様に、可変印刷データ５９５の第２レコードを読み出して、第２レコードの第６項目５９５ｆ「検査パターン」のデータ「▲」を、「検査パターンの可変割付枠」２９１ｘ／ｙに割り付けて、第２レコードのそのほかの項目５９５ａ／ｂ／ｃ／ｄ／ｅ／を対応する可変割付枠２９１ｅ／ｆ／ｂ／ｃ／ｄに割り付けて、検査パターン４９１ｘ／ｙ「▲」を含むバリアブル印刷物４００ｂを印刷する（同（３））。
【００４５】
同様に、可変印刷データ５９５の第３レコードを読み出して、第２レコードの第６項目５９５ｆ「検査パターン」のデータ「▽」を、「検査パターンの可変割付枠」２９１ｘ／ｙに割り付けて、第３レコードのそのほかの項目５９５ａ／ｂ／ｃ／ｄ／ｅ／を対応する可変割付枠２９１ｅ／ｆ／ｂ／ｃ／ｄに割り付けて、検査パターン４９１ｘ／ｙ「▽」を含むバリアブル印刷物４００ｃを印刷する（同（４））。
【００４６】
図１１は、検査パターンの配列を検査する処理手順の説明図である。検査パターン４９１ｘ／ｙ「■」を含むバリアブル印刷物４００ａ（＝可変印刷データ５９５の第１レコードを印刷した１番目のバリアブル印刷物）に対して、検査カメラ１０７が検査パターン４９１ｘ／ｙ「■」を撮影して、検査パターン検出手段１７０は、検査パターン１７０ａ「■」を検出する。検査パターン配列判定手段１４０は、検出した検査パターン１７０ａ「■」が、検査基準データの列番号５９７ａ「１」の検査パターン５９７ｂ「■」と一致することを判定する。（図１１（１））。
【００４７】
同様に、検査パターン４９１ｘ／ｙ「▲」を含むバリアブル印刷物４００ｂ（＝可変印刷データ５９５の第２レコードを印刷した２番目のバリアブル印刷物）に対して、検査カメラ１０７が検査パターン４９１ｘ／ｙ「▲」を撮影して、検査パターン検出手段１７０は、検査パターン１７０ｂ「▲」を検出する。検査パターン配列判定手段１４０は、検出した検査パターン１７０ｂ「▲」が、検査基準データ５９７の列番号５９７ａ「２」の検査パターン「▲」と一致することを判定する（同（２））。
【００４８】
同様に、検査パターン４９１ｘ／ｙ「▽」を含むバリアブル印刷物４００ｃ（＝可変印刷データ５９５の第３レコードを印刷した３番目のバリアブル印刷物４００ｃ）に対して、検査カメラ１０７が検査パターン４９１ｘ／ｙ「▽」を撮影して、検査パターン検出手段１７０は、検査パターン１７０ｃ「▽」を検出する。検査パターン配列判定手段１４０は、検出した検査パターン１７０ｃ「▽」が、検査基準データ５９７の列番号５９７ａ「３」の検査パターン「▽」と一致することを判定する（同（３））。
【００４９】
ここで、配列判定手段１４０は、検出した検査パターンが、検査基準データ５９７の所定の検査パターンと一致しなければ、バリアブル印刷物４００が所定の印刷物でないことが判定できるので、不一致の判定結果を報告する。
【００５０】
次に、各種の検査パターンの実施例を説明する。
（実施例１）
【００５１】
図１２は、検査パターンが文字の飾り罫線である場合のバリアブル印刷処理手順の説明図である。可変印刷データ５９５のレコードの第６項目５９５ｆ「検査パターン」は、罫種が「実線」「二重線」「２点破線」の繰り返しである。
【００５２】
可変印刷データ５９５の第１レコードを読み出して、第１レコードの第６項目５９５ｆ「検査パターン」の罫種「実線」を所定の文字の飾り罫線割付指定２９１ｘに割り付ける（図１２（１））。
【００５３】
さらに、第１レコードの第１項目５９５ａ「姓」のデータを、「姓の可変割付枠」２９１ｅに設定して、第１レコードの第２項目５９５ｂ「姓」のデータを、「名の可変割付枠」２９１ｆに設定して、第１レコードの第３項目５９５ｃ「県」を、「県名の可変割付枠」２９１ｂに設定して、第１レコードの第４項目５９５ｄ「市」のデータを、「市名の可変割付枠」２９１ｃに設定して、第１レコードの第４項目５９５ｅ「町」のデータを、「町名の可変割付枠」２９１ｄに設定して、バリアブル印刷して、検査パターンとして罫種「実線」の文字の飾り罫線を含むバリアブル印刷物４００ａを作成する（同（２））。
【００５４】
同様に、可変印刷データ５９５の第２レコードを読み出して、第２レコードの第６項目５９５ｆ「検査パターン」の罫種「二重線」を所定の文字の飾り罫線割付指定２９１ｘに割り付けて、第２レコードのそのほかの項目５９５ａ／ｂ／ｃ／ｄ／ｅ／を対応する可変割付枠２９１ｅ／ｆ／ｂ／ｃ／ｄに割り付けて、検査パターンとして罫種「二重線」の文字の飾り罫線を含むバリアブル印刷物４００ｂを印刷する（同（３））。
【００５５】
同様に、可変印刷データ５９５の第２レコードを読み出して、第３レコードの第６項目５９５ｆ「検査パターン」の罫種「２点破線」を所定の文字の飾り罫線割付指定２９１ｘに割り付けて、第３レコードのそのほかの項目５９５ａ／ｂ／ｃ／ｄ／ｅ／を対応する可変割付枠２９１ｅ／ｆ／ｂ／ｃ／ｄに割り付けて、検査パターンとして罫種「２点破線」の文字の飾り罫線を含むバリアブル印刷物４００ｃを印刷する（同（４））。
【００５６】
(実施例２）
図１３は、検査パターンが囲み罫線である場合のバリアブル印刷処理手順の説明図である。
可変印刷データ５９５のレコードの第６項目５９５ｆ「検査パターン」は、罫種が「破線」「二重線」「１点破線」の繰り返しである。
【００５７】
可変印刷データ５９５の第１レコードを読み出して、第１レコードの第６項目５９５ｆ「検査パターン」の罫種「破線」を、所定の囲み罫線割付指定２９１ｘに割り付ける（図１２（１））。
【００５８】
さらに、第１レコードの第１項目５９５ａ「姓」のデータを、「姓の可変割付枠」２９１ｅに設定して、第１レコードの第２項目５９５ｂ「姓」のデータを、「名の可変割付枠」２９１ｆに設定して、第１レコードの第３項目５９５ｃ「県」を、「県名の可変割付枠」２９１ｂに設定して、第１レコードの第４項目５９５ｄ「市」のデータを、「市名の可変割付枠」２９１ｃに設定して、第１レコードの第４項目５９５ｅ「町」のデータを、「町名の可変割付枠」２９１ｄに設定して、バリアブル印刷して、検査パターンとして囲み罫線４９１ｘ「破線」を含むバリアブル印刷物４００ａを作成する（同（２））。
【００５９】
同様に、可変印刷データ５９５の第２レコードを読み出して、第２レコードの第６項目５９５ｆ「検査パターン」の罫種「二重線」を、所定の囲み罫線割付指定２９１ｘに割り付けて、第２レコードのそのほかの項目５９５ａ／ｂ／ｃ／ｄ／ｅ／を対応する可変割付枠２９１ｅ／ｆ／ｂ／ｃ／ｄに割り付けて、検査パターンとして囲み罫線４９１ｘ「二重線」を含むバリアブル印刷物４００ｂを印刷する（同（３））。
【００６０】
同様に、可変印刷データ５９５の第２レコードを読み出して、第３レコードの第６項目５９５ｆ「検査パターン」の罫種「１点破線」を、所定の囲み罫線割付指定２９１ｘに割り付けて、第３レコードのそのほかの項目５９５ａ／ｂ／ｃ／ｄ／ｅ／を対応する可変割付枠２９１ｅ／ｆ／ｂ／ｃ／ｄに割り付けて、検査パターンとして囲み罫線４９１ｘ「１点破線」を含むバリアブル印刷物４００ｃを印刷する（同（４））。
【００６１】
このように、多様な検査パターンを用いて、バリアブル印刷物を検査することができる。
【００６２】
（実施例３）
図１４は、検査パターンがページ番号割付位置である場合のバリアブル印刷処理手順の説明図である。
【００６３】
割付設計書２９６には、３つのページ番号割付枠（下部中央割付枠２９１ｃと、下部右割付枠２９１ｌと、下部左割付枠２９１ｒ）が設定されている。可変印刷データ５９５のレコードの第６項目５９５ｆ「検査パターン」は、ページ番号の割付位置が「下部中央」「下部右」「下部左」の繰り返しである。可変印刷データ５９５の第１レコードを読み出して、第１レコードの第６項目５９５ｆ「検査パターン」の「中央」に従って、下部中央割付枠２９１ｃを選択して、ページ番号を設定する（図１２（１））。
【００６４】
さらに、第１レコードの第１項目５９５ａ「姓」のデータを、「姓の可変割付枠」２９１ｅに設定して、第１レコードの第２項目５９５ｂ「姓」のデータを、「名の可変割付枠」２９１ｆに設定して、第１レコードの第３項目５９５ｃ「県」を、「県名の可変割付枠」２９１ｂに設定して、第１レコードの第４項目５９５ｄ「市」のデータを、「市名の可変割付枠」２９１ｃに設定して、第１レコードの第４項目５９５ｅ「町」のデータを、「町名の可変割付枠」２９１ｄに設定して、バリアブル印刷して、検査パターンとして下部中央割付されたページ番号４９１ｃを含むバリアブル印刷物４００ａを作成する（同（２））。
【００６５】
同様に、可変印刷データ５９５の第２レコードを読み出して、第２レコードの第６項目５９５ｆ「検査パターン」の「右」に従って、下部右割付枠２９１ｒを選択して、ページ番号を設定して、第２レコードのそのほかの項目５９５ａ／ｂ／ｃ／ｄ／ｅ／を対応する可変割付枠２９１ｅ／ｆ／ｂ／ｃ／ｄに割り付けて、検査パターンとして下部右割付されたページ番号４９１ｒを含むバリアブル印刷物４００ｂを印刷する（同（３））。
【００６６】
同様に、可変印刷データ５９５の第２レコードを読み出して、第３レコードの第６項目５９５ｆ「検査パターン」の「左」に従って、下部左割付枠２９１ｌを選択して、ページ番号を設定して、第３レコードのそのほかの項目５９５ａ／ｂ／ｃ／ｄ／ｅ／を対応する可変割付枠２９１ｅ／ｆ／ｂ／ｃ／ｄに割り付けて、検査パターンとして下部左割付されたページ番号４９１ｌｒを含むバリアブル印刷物４００ｃを印刷する（同（４））。
【００６７】
このように、検査パターンとして、割付枠の印刷位置を検出することで、バリアブル印刷物を検査することができる。
【００６８】
以上、有限個数の検査パターン配列が周期的に繰り返される例を説明したが、次に、周期性のない検査パターン配列を用いた変形例について、説明する。
（変形例１）
【００６９】
有限個数の異なる検査パターンをランダムに配列した検査パターン列を用いて、可変印刷データと検査基準データを作成して、バリアブル印刷物４００を印刷してもよい。
（変形例２）
【００７０】
有限個数の異なる検査パターンの配列順序を規則的に変更した検査パターン列を用いて、可変印刷データと検査基準データを作成して、バリアブル印刷物４００を印刷してもよい。
たとえば、４つの検査パターン「■」「▲」「▽」「◆」を1ずつ用いて順列組合せして２４個の配列を作成する。つぎに、この２４個の配列を1ずつ用いて順列組合せして検査パターン列を作成して、可変印刷データと検査基準データを作成して、バリアブル印刷物４００を印刷してもよい。
【００７１】
以上詳しく説明したように、本願発明によれば、バリアブル印刷物の落丁や乱丁を防止することが可能となった。また、表裏印刷されたバリアブル印刷物の検査が可能となった。
【図面の簡単な説明】
【００７２】
【図１】本発明によるバリアブル印刷検査システムの全体構成
【図２】本発明によるバリアブル文書作成装置の詳細な構成図
【図３】入稿データの例
【図４】割付設計書２９６の説明図
【図５】バリアブル文書データの形式
【図６】可変印刷データの形式と例
【図７】検査基準データ５９７の形式と例
【図８】バリアブル印刷物４００の例
【図９】本発明によるバリアブル印刷検査装置の詳細な構成図
【図１０】検査パターンをバリアブル印刷する処理手順
【図１１】検査パターンの配列を検査する処理手順
【図１２】（実施例１）検査パターンが文字の飾り罫線である場合のバリアブル印刷処理手順
【図１３】（実施例２）検査パターンが囲み罫線である場合のバリアブル印刷処理手順
【図１４】（実施例３）検査パターンがページ番号割付位置である場合のバリアブル印刷処理手順の説明図
【符号の説明】
【００７３】
１  本発明によるバリアブル印刷検査システム
１００  バリアブル印刷検査装置
１０７  検査カメラ
１４０  検査パターン配列判定手段
１５０  バリアブル印刷停止命令手段
１７０  検査パターン検出手段
１７０ａ／ｂ／ｃ  検出した検査パターン
２９１  可変割付枠
２９２  固定割付枠
２９６  割付設計書
３００  バリアブル印刷装置
５９３  バリアブル文書データ
４００  バリアブル印刷物
４９１  可変割付された文字部
４９１ｃ／ｌ／ｒ／ｘ／ｙ  バリアブル印刷された検査パターン
４９２  固定文字部
５００  バリアブル文書編集装置
５９２  入稿データ
５９５  可変印刷データ
５９７  検査基準データ
５９７ａ  検査パターン番号
５９７ｂ  検査基準データの検査パターン
９００  ネットワーク接続
【図１】
2008173803.tif 000003
【図２】
2008173803.tif 000004
【図３】
2008173803.tif 000005
【図４】
2008173803.tif 000006
【図５】
2008173803.tif 000007
【図６】
2008173803.tif 000008
【図７】
2008173803.tif 000009
【図８】
2008173803.tif 000010
【図９】
2008173803.tif 000011
【図１０】
2008173803.tif 000012
【図１１】
2008173803.tif 000013
【図１２】
2008173803.tif 000014
【図１３】
2008173803.tif 000015
【図１４】
2008173803.tif 000016